(57)【要約】【課題】ケース部材及び液晶パネル製作時の寸法精度が緩和され、ケース部材及び液晶パネルの製作作業が容易となり、製作コストが低減できる液晶表示型遊技機の提供。【解決手段】液晶パネル16を内部に収納するケース部材22に、液晶パネル16の背面16A に係合して当該背面16A を正面側へ向かって付勢する弾性付勢体28A, 28Bを設け、液晶パネル16の外法をケース部材22の内法よりも小さく設計しても、弾性付勢体28A, 28Bの付勢による摩擦力で、液晶パネル16の位置がずれないようにし、外観上の不具合を未然に防止する。そして、液晶パネル16の外法をケース部材22の内法よりも小さく設計することにより、製作時に寸法誤差があっても、液晶パネル16がケース部材22の内部に確実に収納されるようにし、製作時の寸法精度を緩和して製作を容易にする。【選択図】    図２
2005185450.tif 000002
【特許請求の範囲】
【請求項１】
筐体の前扉に取り付けられた液晶パネルにより様々な画像の表示が可能となっている液晶表示型遊技機であって、
前記液晶パネルを内部に収納するケース部材と、
前記液晶パネルの背面に係合して当該背面を正面側へ向かって付勢する弾性付勢体とが設けられていることを特徴とする液晶表示型遊技機。
【請求項２】
前記ケース部材は、前記液晶パネルの前記背面と対向する底板部と、この底板部の周縁から立ち上がった側壁部とを備えた箱状のものであり、
前記弾性付勢体は、前記底板部と一体成形され、且つ、前記底板部から部分的に切り抜かれることにより、局所的に弾性変形可能となったものであり、
この弾性付勢体には、前記底板部に沿って延びる水平板バネ部と、この水平板バネ部の先端から前記液晶パネルへ向かって突出する当接突起とが設けられていることを特徴とする請求項１記載の液晶表示型遊技機。
【請求項３】
前記液晶パネルの前記背面には、当該背面を形成する略平板状の背面板が設けられ、
この背面板には、前記ケース部材側に設けられた前記弾性付勢体に対応して付勢受部が設けられ、
前記付勢受部は、前記背面板と一体成形され、且つ、前記背面板から部分的に切り抜かれることにより、局所的に弾性変形可能となったものであり、
この付勢受部には、前記背面板に沿って延びる水平板バネ部と、前記背面板から突出するとともに、前記水平板バネ部の基端部分と前記背面板とを連結する垂直板バネ部とが設けられていることを特徴とする請求項２記載の液晶表示型遊技機。
【請求項４】
前記液晶パネルの画像を外部に見せるために前記前扉に開けられた開口には、窓部材が設けられ、前記ケース部材は、前記窓部材側の面が開口されるとともに、この開口を塞ぐ蓋体となるカバー部材が設けられ、このカバー部材及び前記窓部材の間には、前記カバー部材の周縁に沿って枠状にされたクッション材が介装されていることを特徴とする請求項１から請求項３までのいずれかに記載の液晶表示型遊技機。
【発明の詳細な説明】
【技術分野】
【０００１】
本発明は、液晶パネルが筐体の前扉に取り付けられ、その画面に様々な映像を表示できるようにした液晶表示型遊技機に関するものである。
【背景技術】
【０００２】
従来から、スロットマシンやパチンコ遊技機等の遊技機は、人々に娯楽を提供するための手段として利用されている。
例えば、スロットマシンは、複数種類の図柄が記されるとともに回転駆動可能に設けられた複数の回転リールを備えた遊技機である。このようなスロットマシンでは、メダルを投入してから、スタートレバー等を操作して、回転リールを一斉にスタートさせることにより、遊技が開始される。そして、回転駆動させた複数の回転リールを適宜停止させ、これらの回転リールに表示された図柄が特定の組み合わせとなったときに入賞となる。
【０００３】
そして、遊技機は、入賞を引き当てた遊技者に、入賞した役に応じた数のメダルや遊技球を払い出すことにより、遊技者を楽しませるようになっている。
また、遊技機としては、前扉に大型の液晶パネルが取り付けられ、その画面に様々な映像を表示できるようにした液晶表示型遊技機が利用されている。そして、このような液晶パネルが取り付けられた遊技機によれば、遊技中に様々な情報を遊技者に提供できるうえ、遊技者が入賞した際に、入賞役の演出に最適な画像を表示でき、遊技者をさらに遊技に没入させることが可能となる（例えば、特許文献１参照。）。
ここで、液晶パネルを前扉に取り付けるにあたり、液晶パネルは、画面サイズ一杯の大きさとされ、取付用のネジを挿通させる貫通孔を設ける余地がないので、液晶パネルに応じたサイズに形成されるとともに、取付用のネジを挿通させる貫通孔が設けられた箱状のケース部材を用意し、ケース部材の内部に液晶パネルを収納し、ケース部材を前扉にネジ止めすれば、液晶パネルを前扉に容易に取り付けることができるうえ、ケース部材で液晶パネルを保護することもできる。
【特許文献１】特開２００３−３８７０７号公報（図１及び図２）
【発明の開示】
【発明が解決しようとする課題】
【０００４】
一般に、ケース部材及び液晶パネルには、製造時に寸法誤差が生じる。両者の寸法誤差の組み合わせによっては、ケース部材の内法が液晶パネルの外法よりも小さくなってしまうことがあり、液晶パネルをケース部材の内部に収納できなくなるという問題が生じる。
そこで、通常は、製作時に寸法誤差が生じても、ケース部材の内部に液晶パネルを確実に収納できるように、予め液晶パネルの外法をケース部材の内法よりも小さく設計する。
しかし、液晶パネルの外法をケース部材の内法よりも小さく設計すると、ケース部材の内部に液晶パネルを収納することはできるが、ケース部材の内部で液晶パネルが移動可能となり、前扉に対して液晶パネルの位置がずれる、あるいは、前扉に対して液晶パネルの画面が傾斜する等、外観上の不具合が発生する。また、ケース部材の内部で液晶パネルが移動すると、輸送の際の振動により、液晶パネルに大きな衝撃が加わり、液晶パネルが破損する、といった輸送上の不具合も発生する。
【０００５】
このため、ケース部材の内法と液晶パネルの外法とを同じにせねばならず、ケース部材及び液晶パネルの製作時における寸法精度を高める必要があるため、ケース部材及び液晶パネルの製作作業が面倒となり、製作コストが高騰してしまうという問題がある。
そこで、各請求項にそれぞれ記載された各発明は、上記した従来の技術の有する問題点に鑑みてなされたものであり、その目的とするところは、外観上及び輸送上の不具合を発生させることなく、液晶パネルの外法をケース部材の内法よりも小さく設計できるようにすることで、ケース部材及び液晶パネルの製作時における寸法精度を緩和し、ケース部材及び液晶パネルの製作作業を容易にし、ひいては、製作コストが低減されるようになる液晶表示型遊技機を提供することである。
【課題を解決するための手段】
【０００６】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、筐体(２)の前扉(４)に取り付けられた液晶パネル(16)により様々な画像の表示が可能となっている液晶表示型遊技機(１)であって、前記液晶パネル(16)を内部に収納するケース部材(22)と、前記液晶パネル(16)の背面(16A) に係合して当該背面(16A) を正面側へ向かって付勢する弾性付勢体(28A, 28B)とが設けられていることを特徴とするものである。
【０００７】
（請求項２）
（特徴点）
請求項２記載の発明は、前述した請求項１に記載の発明において、次の特徴点を備えているものである。
すなわち、請求項２記載の発明は、前記ケース部材(22)として、前記液晶パネル(16)の前記背面(16A) と対向する底板部(25)と、この底板部(25)の周縁から立ち上がった側壁部(25B) とを備えた箱状のものが採用され、前記弾性付勢体(28A, 28B)は、前記底板部(25)と一体成形され、且つ、前記底板部(25)から部分的に切り抜かれることにより、局所的に弾性変形可能となったものであり、この弾性付勢体(28A, 28B)には、前記底板部(25)に沿って延びる水平板バネ部(28E) 、及び、この水平板バネ部(28E) の先端から前記液晶パネル(16)へ向かって突出する当接突起(28C) が設けられていることを特徴とする。
【０００８】
（請求項３）
（特徴点）
請求項３記載の発明は、前述した請求項２記載の発明において、次の特徴点を備えているものである。
すなわち、請求項３に記載の発明は、前記液晶パネル(16)の前記背面(16A) に、当該背面(16A) を形成する略平板状の背面板(16B) が設けられ、この背面板(16B) には、前記ケース部材(22)側に設けられた前記弾性付勢体(28A, 28B)に対応して付勢受部(60, 61)が設けられ、前記付勢受部(60, 61)は、前記背面板(16B) と一体成形され、且つ、前記背面板(16B) から部分的に切り抜かれることにより、局所的に弾性変形可能となったものであり、この付勢受部(60, 61)には、前記背面板(16B) に沿って延びる水平板バネ部(62, 64)と、前記背面板(16B) から突出するとともに、前記水平板バネ部(62, 64)の基端部分と前記背面板(16B) とを連結する垂直板バネ部(63, 65)とが設けられていることを特徴とするものである。
【０００９】
（請求項４）
（特徴点）
請求項４記載の発明は、前述した請求項１から請求項３までのいずれかに記載の発明において、次の特徴点を備えているものである。
すなわち、請求項４記載の発明は、前記液晶パネル(16)の画像を外部に見せるために前記前扉(４)に開けられた開口に、窓部材(27)が設けられ、前記ケース部材(22)は、前記窓部材(27)側の面が開口されるとともに、この開口を塞ぐ蓋体となるカバー部材(26)が設けられ、このカバー部材(26)及び前記窓部材(27)の間には、前記カバー部材(26)の周縁に沿って枠状にされたクッション材(29)が介装されていることを特徴とする。
【発明の効果】
【００１０】
（請求項１の効果）
以上のように構成されている本発明は、以下に記載されるような効果を奏する。
すなわち、請求項１記載の発明によれば、液晶パネルの外法をケース部材の内法よりも小さく設計できるので、ケース部材及び液晶パネルの製造時に寸法誤差が生じても、液晶パネルをケース部材の内部に確実に収納できるようになる。
ここで、液晶パネルをケース部材の内部に収納する際に、弾性付勢体を弾性変形させるようにすれば、弾性付勢体が液晶パネルをケース部材に向かって付勢するので、液晶パネルの外法をケース部材の内法よりも小さく製造しても、ケース部材内部において、液晶パネルがむやみに移動することがなくなり、前扉に対して液晶パネルの位置がずれたり、液晶パネルの画面が傾斜したりせず、外観上の不具合を未然に防止することができる。
【００１１】
また、輸送時に振動が加わっても、ケース部材内部の液晶パネルが固定されるとともに、弾性付勢体が振動を吸収するので、輸送の際に液晶パネルに大きな衝撃が加わることがなくなり、液晶パネルを破損から保護することもできる。
以上により、ケース部材及び液晶パネルは、製作誤差が許容されるので、製作時における寸法精度が緩和され、ケース部材及び液晶パネルの製作を容易にすることができ、その製作コストを低減することができる。
（請求項２の効果）
請求項２記載の発明によれば、上記した請求項１記載の発明の効果に加え、次のような効果を奏する。
【００１２】
すなわち、請求項２記載の発明によれば、ケース部材を合成樹脂製とし、射出成形法等でケース部材の製造を行うことにより、ケース部材と弾性付勢体とを同じ工程で同時に製作できる。その結果、ケース部材と、弾性付勢体、例えば、ゴム製のクッション材とを別個の部品として作成しておき、これらを後で組み合わせる場合と比較して、工程数を少なくでき、その製造効率を向上することができる。
しかも、底板部に沿って延びる水平板バネ部の先端から突出する当接突起を設け、水平板バネ部を弾性変形容易な平板状としても、当接突起が確実に液晶パネルの背面に当接し、水平板バネ部を充分変位させるようになるので、簡単な構造の弾性付勢体でも、液晶パネルを充分な付勢力で付勢でき、液晶パネルの位置ずれや、液晶パネル画面の傾斜を確実に防止することができる。
【００１３】
（請求項３の効果）
請求項３記載の発明によれば、上記した請求項２記載の発明の効果に加え、次のような効果を奏する。
すなわち、請求項３記載の発明によれば、寸法上の制約等により、ケース部材側に設けられた弾性付勢体単体の変位量、及び、液晶パネル側に設けられた付勢受部単体の変位量が充分確保できなくとも、ケース部材側の弾性付勢体及び液晶パネル側の付勢受部の両方が弾性変形可能なので、弾性付勢体及び付勢受部の両方が変位することにより、充分な変位量が得られ、液晶パネルの背面に加えられる付勢力が充分な強さとなり、この点からも、液晶パネルを充分な付勢力で付勢することができ、液晶パネルの位置ずれや、液晶パネル画面の傾斜を確実に防止することができる。
【００１４】
（請求項４の効果）
請求項４記載の発明によれば、上記した請求項１から請求項３までのいずれかに記載の発明の効果に加え、次のような効果を奏する。
すなわち、請求項４記載の発明によれば、その間に介装されたクッション材が、カバー部材と窓部材との間に生じる隙間を塞ぎ、当該隙間を解消するようになるので、この隙間から埃等が入り込むことがなくなり、入り込んだ埃等により液晶パネルが見づらくなることを未然に防止することができる。
【発明を実施するための最良の形態】
【００１５】
以下に、本発明を実施するための最良の形態である一実施形態について、図面に基づいて説明する。
図１ないし図９は、本実施形態を示すものである。図１は、本実施形態に係る液晶表示型遊技機を示す正面図、図２は、本実施形態の要部を示す拡大断面図、図３は、本実施形態に係る液晶表示ユニットを示す平面図、図４は、本実施形態の液晶表示ユニットを示す側面図、図５は、本実施形態の弾性付勢体を示す斜視図、図６は、本実施形態の液晶パネルを示す背面図及び上面図、図７は、本実施形態の付勢受部を示す斜視図、図８は、本実施形態に係るカバー部材の角隅部分を示す拡大斜視図、図９は、本実施形態に係る液晶表示ユニットの取付手順を説明するための模式図である。
【００１６】
本実施形態に係る液晶表示型遊技機としてのスロットマシン１は、図１の如く、直方体の箱状に形成された筐体２を備えている。この筐体２の内部には、３個の回転リール3Aが横並びに設けられたリールユニット３等の遊技用装置が設けられている。なお、回転リール3Aの各々は、リールユニット３に回転駆動可能に設けられ、且つ、それぞれの周面に複数種類の図柄が記されたものとなっている。
また、筐体２の前面開口部には、そのほぼ中央にリール窓4Aを備えた前扉４が当該前面開口部を覆うように設けられている。
リール窓4Aは、３個の回転リール3Aに記された図柄を外部に露出させるための窓であり、３個すべての回転リール3Aの回転が停止した際に、縦横３個ずつ配列された計９個の図柄が表示できるように形成されている。
【００１７】
具体的には、左側の回転リール3Aの回転が停止すると、リール窓4Aの左側部分の上段、中段及び下段にそれぞれ１個ずつ、合計３個の図柄が表示されるようになっている。中央及び右側の回転リール3Aについても同様に、上段、中段及び下段にそれぞれ１個ずつ、合計３個の図柄が表示されるようになっている。これにより、３個すべての回転リール3Aの回転が停止すると、リール窓4Aには、縦横各３個の計９個からなる図柄が表示可能となっている。
この際、リール窓4Aに表示された縦横各３個の計９個からなる図柄の配列パターンが、いわゆる「出目」である。
【００１８】
リール窓4Aの下方には、メダルが投入されるメダル投入口５、貯留メダルを１枚ずつ投入するためのベットスイッチ６、貯留メダルを３枚ずつ投入するためのマックスベットスイッチ７、回転リール3Aの回転を開始させるためのスタートスイッチ８、及び、回転リール3Aの回転を停止させるためのストップスイッチ９等が設けられている。
前扉４の下部には、入賞時にメダルを払い出すための払出口10が設けられている。この払出口10の下方には、受け皿11が設けられ、払出口10の図中左右には、演出音を発する左スピーカ12及び右スピーカ13が設けられている。
前扉４の上部には、入賞時などに点滅する演出用ランプ14と、入賞役となる図柄の組み合わせ等を示す表示パネル15と、動画を含む様々な映像や情報を表示することができる液晶パネル16とが設けられている。そして、これらの演出用ランプ14、表示パネル15及び液晶パネル16は、前扉４の上端部分を構成する前扉上部パネル17に固定されている。なお、表示パネル15は、前扉上部パネル17の周縁から離間した中央部分に配置されている。
【００１９】
液晶パネル16は、前面に設けられた画面に様々な映像を表示するための表示デバイスであり、動画を含んだ映像の表示を行うための液晶表示ユニット20を構成している。
また、液晶パネル16は、リール窓4Aの上方の位置において、画面が筐体２の外側を向いた状態で前扉４の内側から取り付けられている。なお、液晶パネル16の横幅は、リール窓4Aの横幅とほぼ同じ寸法となっている。
そして、液晶パネル16を備えた液晶表示ユニット20は、液晶パネル16と同様に、リール窓4Aの上方に配置され、且つ、横幅がリール窓4Aの横幅とほぼ同じ寸法となっている。
この液晶表示ユニット20は、図２に示すように、前述の液晶パネル16と、この液晶パネル16の表示動作を制御する表示制御基板であるマルチメディア処理ボード21と、これらの液晶パネル16及びマルチメディア処理ボード21を内部に収納する箱状のケース部材22とを備えたものとなっている。
【００２０】
ここで、ケース部材22は、内部が仕切板25により二つに区分された二層構造の透明な合成樹脂製の箱状部材である。より具体的に説明すると、ケース部材22の内部には、仕切板25により、スロットマシン１の表側に配置された液晶パネル16を収納する液晶パネル室22A と、裏側のマルチメディア処理ボード21を収納する制御デバイス室22B とが形成されている。
ケース部材22は、液晶パネル室22A における仕切板25と対向する面が開口されたものになっている。そして、このケース部材22の開口には、当該開口を塞ぐ蓋体を兼用するカバー部材26が設けられている。
【００２１】
カバー部材26は、液晶パネル16に臨む一面が開口された略六面体状に形成された箱状部材である。
ここで、ケース部材22の仕切板25は、液晶パネル16の背面16Aと対向する底板部である。この仕切板25には、その周縁から立ち上がるとともに、当該周縁に沿って延びる側壁部25B が立設されている。
カバー部材26は、その内部に側壁部25B を嵌合させることにより、ケース部材22に取り付けられている。さらに、カバー部材26は、開口周囲の端縁がケース部材22の表面に接した位置から、ケース部材22と離間する方向へ移動可能となっている。
【００２２】
また、カバー部材26は、液晶パネル16の画面表面を保護するために、液晶パネル16の前面に取り付けられる保護部材にもなっている。
すなわち、カバー部材26の表側の面、換言すると、後述する窓部材27側に配置された前面26Aは、液晶パネル16の前面全体を覆うとともに、光学的に歪みが著しく小さくなるように、高精度に平面が出された透明平板状部分26B により構成されている。
このようなカバー部材26の前面26Aには、当該前面の周縁に沿って延びる突条26C が突設されている。
ケース部材22の仕切板25には、図２〜図４に示すように、液晶パネル16をカバー部材26に向かって付勢する弾性手段として、弾性付勢体28A, 28Bが一体成形されている。これらの弾性付勢体28A, 28Bは、仕切板25から部分的に切り抜かれることにより、局所的に弾性変形可能となったものである。
【００２３】
ここで、ケース部材22には、仕切板25の表面と液晶パネル16の背面16A との面間寸法が広い部分と狭い部分が設けられている。
そして、弾性付勢体28A は、ケース部材22の面間寸法が狭い部分に配置される弾性付勢体であり、弾性付勢体28B は、ケース部材22の面間寸法が広い部分に配置される弾性付勢体となっている。
弾性付勢体28A は、図５（Ａ）にも示すように、仕切板25をＵ字形に切り欠いた切り欠き部25A の内側に形成された一文字状の弾性体である。この弾性付勢体28A には、仕切板25に沿って延びる水平板バネ部28E と、この水平板バネ部28E の先端から液晶パネル16に向かって突出するとともに、液晶パネル16の背面16A に当接する半球状の当接突起28C が設けられている。
【００２４】
弾性付勢体28B は、図５（Ｂ）にも示すように、仕切板25をＤ字形に切り欠いた切り欠き部25C の内側に形成された側面形状略Ｌ字状の弾性体である。
この弾性付勢体28B は、仕切板25から液晶パネル16に向かって突出する垂直板バネ部28D と、この垂直板バネ部28D の先端から仕切板25と平行に延びる水平板バネ部28E とを備えている。この水平板バネ部28E の先端には、液晶パネル16に向かって突出するとともに、液晶パネル16の裏面に当接する半球状の当接突起28C が設けられている。
ここにおいて、垂直板バネ部28D は、水平板バネ部28E の基端部分と仕切板25とを連結する部位となっている。
【００２５】
このような弾性付勢体28A, 28Bに対応して、液晶パネル16の背面16A には、図６に示すように、付勢受部60, 61が設けられている。
すなわち、液晶パネル16の背面16A には、当該背面16A を形成する略平板状に形成された金属製の背面板16B が設けられている。この背面板16B には、ケース部材22側に設けられた弾性付勢体28A, 28Bに対応した位置に付勢受部60，61が設けられている。
このうち、付勢受部60は、背面板16B の４つの角隅近傍において、背面板16B と一体成形されたものである。また、付勢受部60は、背面板16B から部分的に切り抜かれることにより、局所的に弾性変形可能となっている。そして、付勢受部60は、その先端が液晶パネル16の側方を向くように配置されている。
【００２６】
さらに詳しく説明すると、付勢受部60は、図７（Ａ）に示すように、背面板16B から切り起こした、切り起こし片の中間部分を折り曲げることにより、Ｌ字形状に形成されたものである。このような付勢受部60には、背面板16B に沿って延びる水平板バネ部62と、背面板16B から突出するとともに、水平板バネ部62の基端部分と背面板16B とを連結する垂直板バネ部63とが備えられている。
一方、付勢受部61は、図６の如く、両側に配置された二つの付勢受部60の中間部分において、背面板16B と一体成形されたものである。ここで、付勢受部61の幅寸法は、付勢受部60よりも大きく設定されている。また、付勢受部61は、付勢受部60と同様に、背面板16B から部分的に切り抜かれることにより、局所的に弾性変形可能となっている。そして、付勢受部61は、その先端が液晶パネル16の中心を向くように配置されている。
【００２７】
さらに詳しく説明すると、付勢受部61は、図７（Ｂ）に示すように、背面板16B から切り起こした、切り起こし片の中間部分を折り曲げることにより、Ｌ字形状に形成されたものである。このような付勢受部61には、付勢受部60と同様に、背面板16B に沿って延びる水平板バネ部64と、背面板16B から突出するとともに、水平板バネ部64の基端部分と背面板16B とを連結する垂直板バネ部65とが設けられている。
図２に戻って、ケース部材22の表側には、室内照明等の光が液晶パネル16の画面に入射して反射するのを防止するために、筒状の画面用フードカバー23が取り付けられている。この画面用フードカバー23の表面側の開口は、液晶パネル16の画面を保護するために、平板状に形成された無色透明のシールド部材24により塞がれている。
【００２８】
画面用フードカバー23及びシールド部材24は、液晶パネル16の画面を外部に見せるために、前扉４に開けられた開口に設けられた窓部材27を形成するものとなっている。
ここで、窓部材27の画面用フードカバー23を固定するには、例えば、前扉４に設けられた厚肉面状フレーム31に固定する固定構造が採用できる。このような固定構造の一例を、以下に説明する。
すなわち、前扉４には、扉としての構造を維持するのに充分な剛性を確保するために、構造体として合成樹脂製の厚肉面状フレーム31が設けられている。この厚肉面状フレーム31には、筐体２の外側へ延びる複数の支持ブラケット31A と、これらの支持ブラケット31A の間に架け渡された支持桟31B とが設けられている。
【００２９】
一方、窓部材27側の画面用フードカバー23には、ネジ止め用に形成された略円筒状のボス23B が突設されている。窓部材27は、支持桟31B を貫通するとともに、画面用フードカバー23のボス23B と螺合するネジ31C により厚肉面状フレーム31に固定されている。
そして、窓部材27に備えられた画面用フードカバー23の内側の端縁とカバー部材26との間には、図２及び図４の如く、柔軟性及び弾性の両方を有するクッション材29が介装されている。
このクッション材29は、カバー部材26の前面26A の周縁に沿って四角枠状に配置され、環状を形成した状態で、カバー部材26の前面26A に接着されている。また、クッション材29は、長方形状の断面形状を備えたものとされている。
【００３０】
ここで、前述したカバー部材26の前面26A に立設された突条26C について詳しく説明する。図８には、カバー部材26の角隅部分26D が示されている。図８において、突条26C は、カバー部材26の前面26A から突出するとともに、クッション材29の取り付けを案内する部位となっている。すなわち、突条26C の一方の側面は、当該側面にクッション材29の側面を接することにより、クッション材29の取り付けを案内する取付案内面となっている。
図２に戻って、画面用フードカバー23のカバー部材26側に配置された端縁部分には、クッション材29を覆うためのフランジ部23A が全周に渡って設けられている。このフランジ部23A により、窓部材27から内部を覗いても、クッション材29が見えないようになっている。
【００３１】
以上において、スロットマシン１には、液晶表示ユニット20をスロットマシン１の前扉４に取り付けるための取付構造が設けられている。
この取付構造は、図２〜図４に示すように、液晶表示ユニット20の下端縁の近傍部分を前扉４に支持させるための軸支手段30と、液晶表示ユニット20の上端縁の近傍部分を前扉４に係止させる係止手段40と、係止手段40が係止している液晶表示ユニット20の上端縁の近傍部分を前扉４に固定する固定手段50とを備えたものとなっている。
軸支手段30は、液晶表示ユニット20の画面左右に配置された側面20A から突出する軸部32と、厚肉面状フレーム31において軸部32と対向する部分に設けられるとともに、軸部32を支持するための軸受部33とを備えたものとなっている。
【００３２】
このうち、軸受部33は、軸部32が挿通可能な上向きの開口を有する溝状の断面を有するものとなっている。
係止手段40は、液晶表示ユニット20の画面上方に配置された上面20B から突出する係止突起部41と、前扉４の厚肉面状フレーム31を貫通するように設けられるとともに、その内部に挿通された係止突起部41を係止するための係止孔42とを備えたものとなっている。
このうち、係止突起部41は、短冊状に形成された平板を略Ｌ字形状に折り曲げた全体形状を有するものである。この係止突起部41には、係止孔42への挿通方向に沿って延びる弾性変形可能な腕部43と、この腕部43の先端に設けられている楔状の係止部44とが備えられている。係止部44には、係止突起部41の挿通方向に対して傾斜して係止孔42の内部への挿通を案内する挿通案内面45と、前述の挿通方向と交差して係止孔42の周囲の部位46に係止される係止面47とが設けられている。
【００３３】
固定手段50は、液晶表示ユニット20の上面20B の両端縁近傍に設けられた一対の耳部51と、この耳部51を貫通する挿通孔52と、この挿通孔52に挿通されるとともに、厚肉面状フレーム31の螺合孔53に螺合するネジ54とを備えたものである。
このような取付構造では、液晶表示ユニット20を前扉４に取り付けるのに先立ち、窓部材27を前扉４の厚肉面状フレーム31に取り付けておくとともに、カバー部材26の前面26A にクッション材29を取り付けておく。
これらの窓部材27及びクッション材29の取付作業等の先行作業がすべて完了したら、まず、図９（Ａ）に示すように、厚肉面状フレーム31に設けた軸受部33に、液晶表示ユニット20の軸部32を係止し、軸受部33に液晶表示ユニット20を支持させ、この状態で、軸部32を回動中心にして、液晶表示ユニット20の上端縁側が厚肉面状フレーム31に近づくように、液晶表示ユニット20の回動を開始する。
【００３４】
液晶表示ユニット20を回動させることにより、係止突起部41の係止部44が係止孔42に挿通され、さらに、図９（Ｂ）に示すように、係止孔42の周囲の部位46に係止部44が係止されたら、液晶表示ユニット20の回動を終了し、これにより、液晶表示ユニット20が前扉４の厚肉面状フレーム31に仮止めされる。
次に、耳部51の挿通孔52に挿通したネジ54を回転操作し、当該ネジ54を厚肉面状フレーム31の螺合孔53に螺合させ、図９（Ｃ）に示すように、液晶表示ユニット20の耳部51が厚肉面状フレーム31の表面に密着するまで、ネジ54を締め付け、耳部51が厚肉面状フレーム31の表面に密着したら、液晶表示ユニット20の前扉４へ取り付けが完了する。
【００３５】
ここにおいて、ネジ54を回転操作して締め付けることにより、カバー部材26が窓部材27に近づく方向に押圧され、クッション材29は、カバー部材26及び窓部材27に圧縮状態で挟持され、これにより、カバー部材26と窓部材27との間に形成される隙間を塞ぎ、当該隙間を解消するものとなっている。
前述のような本実施形態によれば、次のような効果が得られる。
すなわち、ケース部材22の仕切板25に弾性付勢体28A, 28Bを設け、弾性付勢体28A, 28Bで、ケース部材22の内部に収納した液晶パネル16の背面16A を正面側へ向かって付勢するようにしたので、ケース部材22の内法よりも液晶パネル16の外法を小さく設計しても、液晶パネル16とケース部材22との間で発生する摩擦力等により、液晶パネル16がむやみに移動することがなくなり、前扉４に対して液晶パネル16の位置がずれたり、液晶パネル16の画面が傾斜したりせず、外観上の不具合を未然に防止することができる。
【００３６】
また、輸送時に振動が加わっても、ケース部材22内部の液晶パネル16が固定されるとともに、弾性付勢体28A, 28Bが振動を吸収するので、輸送の際に液晶パネル16に大きな衝撃が加わることがなくなり、液晶パネル16を破損から保護することができ、輸送上の不具合も未然に防止することができる。
このため、外観上の不具合や輸送上の不具合を発生させずに、ケース部材22の内法よりも液晶パネル16の外法を小さく設計することができ、そして、ケース部材22の内法よりも液晶パネル16の外法を小さく設計することにより、ケース部材22及び液晶パネル16の製作時に寸法誤差があっても、液晶パネル16をケース部材22の内部に確実に収納することができるので、製作時における寸法精度が緩和され、ケース部材22及び液晶パネル16の製作を容易にすることができ、その製作コストを低減することができる。
【００３７】
また、合成樹脂製のケース部材22が有する仕切板25を部分的に切り抜くことにより、仕切板25に弾性付勢体28A, 28Bを設け、射出成形法でケース部材22と弾性付勢体28A, 28Bとを一体成形できるようにしたので、ケース部材22と弾性付勢体28A, 28Bとを同じ工程で同時に製作でき、ケース部材22と、このケース部材22とは別個に、弾性付勢体、例えば、金属製のバネ体、あるいは、ゴム製のクッション材とを作成しておき、これらを後で組み合わせる場合と比較して、工程数を少なくでき、その製造効率を著しく向上することができる。
しかも、仕切板25に沿って延びる水平板バネ部28E と、水平板バネ部28E の先端から突出する当接突起28C とを弾性付勢体28A, 28Bに設け、水平板バネ部28E を弾性変形容易な平板状としても、当接突起28C が確実に液晶パネル16の背面16A に当接して、水平板バネ部28E が充分変位するようにしたので、簡単な構造の弾性付勢体28A, 28Bでも、液晶パネル16を充分な付勢力で付勢でき、液晶パネル16の位置ずれや、液晶パネル16が有する画面の傾斜を確実に防止することができる。
【００３８】
また、ケース部材22側に弾性変形可能な弾性付勢体28A, 28Bを設けるとともに、液晶パネル16側に弾性変形可能な付勢受部60, 61を設け、寸法上の制約等により、ケース部材22側に設けられた弾性付勢体28A, 28B単体の変位量、及び、液晶パネル16側に設けられた付勢受部60, 61単体の変位量が充分確保できなくとも、弾性付勢体28A, 28B及び付勢受部60, 61の両方が変位することにより、充分な変位量が得られ、液晶パネル16の背面16A に加えられる付勢力が充分な強さとなり、ケース部材22及び液晶パネル16が寸法上の制約を受けても、液晶パネル16を充分な付勢力で付勢することができ、液晶パネル16の位置ずれや、液晶パネル16の画面の傾斜を確実に防止することができる。
【００３９】
さらに、カバー部材26と窓部材27との間にクッション材29を介装し、この介装したクッション材29で、カバー部材26と窓部材27との間に生じる隙間を塞ぎ、当該隙間を解消するようにしたので、隙間から埃等が入り込むことがなくなり、入り込んだ埃等により液晶パネル16が見づらくなることを未然に防止することができる。
なお、本発明は、前記実施形態に限定されるものではなく、本発明の目的を達成できる範囲における変形及び改良などをも含むものである。
例えば、ケース部材としては、弾性付勢体で液晶パネルを、その厚さ方向にのみ付勢するものに限らず、例えば、図２におけるケース部材22の側壁部25B に、液晶パネル16を、その幅方向又は高さ方向に付勢する弾性体（図示略）を設け、液晶パネル16の幅方向又は高さ方向に対しても、液晶パネル16を付勢できるようにしたケース部材も採用できる。
【００４０】
また、クッション材としては、カバー部材側に接着されたものに限らず、窓部材側に接着されたものでもよく、要するに、カバー部材及び窓部材の両方が前扉に取り付けられているとともに、これらのカバー部材及び窓部材の間にクッション材が介装された状態において、カバー部材の周縁に沿って枠状にクッション材が配置されていればよい。
さらに、液晶表示型遊技機としては、スロットマシンに限らず、遊技場で利用されるパチンコ機、ゲームセンターで利用されるアーケードゲーム機でもよく、要するに、画面に様々な映像を映しだして演出を行ったり、各種情報の表示を行ったりするための液晶パネルを備えた遊技機であればよい。
【図面の簡単な説明】
【００４１】
【図１】本発明の一実施形態に係る遊技機であるスロットマシンを示す正面図である。
【図２】前記実施形態の要部を示す拡大断面図である。
【図３】前記実施形態に係る液晶表示ユニットを示す平面図である。
【図４】前記実施形態に係る液晶表示ユニットを示す側面図である。
【図５】前記実施形態の弾性付勢体を示す斜視図である。
【図６】前記実施形態の液晶パネルを示す背面図及び上面図である。
【図７】前記実施形態の付勢受部を示す斜視図である。
【図８】前記実施形態に係るカバー部材の角隅部分を示す拡大斜視図である。
【図９】前記実施形態に係る液晶表示ユニットの取付手順を説明するための模式図である。
【符号の説明】
【００４２】
１  液晶表示型遊技機としてのスロットマシン
２  筐体
４  前扉
16  液晶パネル
16A 背面
16B 背面板
22  ケース部材
25  底板部としての仕切板
25B 側壁部
26  カバー部材
26A 前面
26C 突条
27  窓部材
28A, 28B  弾性付勢体
28C 当接突起
28D 垂直板バネ部
28E 水平板バネ部
29  クッション材
60, 61  付勢受部
62, 64  水平板バネ部
63, 65  垂直板バネ部
【図１】
2005185450.tif 000003
【図２】
2005185450.tif 000004
【図３】
2005185450.tif 000005
【図４】
2005185450.tif 000006
【図５】
2005185450.tif 000007
【図６】
2005185450.tif 000008
【図７】
2005185450.tif 000009
【図８】
2005185450.tif 000010
【図９】
2005185450.tif 000011